(57)【特許請求の範囲】
【請求項１】
内部に電子機器を収容可能であり、ケーブルの一部を収容可能なケーブル収容部が設けられている筐体であって、
前記ケーブル収容部は、凹部と、該凹部の第１側面部の一部において該凹部の第２側面部と第３側面部と底面部とに沿って該凹部の第４側面部に向けて延出する突部とによって構成されており、
前記ケーブル収容部において、前記ケーブルの一部は、挿入エリアに挿入された後、通過エリアを経由して収容エリアに収容されるように構成されており、
前記収容エリア及び前記通過エリアは、前記突部と前記第２側面部との間の空間、前記突部と前記第３側面部との間の空間、及び、前記突部と前記底面部との間の空間とを含むように構成されており、
前記挿入エリアは、前記突部と前記第４側面部との間の空間を含むように構成されており、
前記収容エリアと前記通過エリアとの境界部分において、前記収容エリアにおける前記第２側面部と前記第３側面部との間の距離は、前記通過エリアにおける前記第２側面部と前記第３側面部との間の距離よりも長いことを特徴とする筐体。
【請求項２】
前記ケーブルの端部が挿入される挿入口が設けられていることを特徴とする請求項１に記載の筐体。
【発明の詳細な説明】
【技術分野】
【０００１】
本発明は、内部に電子機器を収容可能であり、ケーブルの一部を収容可能なケーブル収容部が設けられている筐体に関する。
【背景技術】
【０００２】
従来、内部に電子機器を収容可能な筐体において、電源ケーブル等のケーブルを収容するために、背面部等にフックを設けて、当該ケーブルを当該フックに掛けておく構造が知られている。
【特許文献１】特開平９-５５５９０号公報
【発明の開示】
【発明が解決しようとする課題】
【０００３】
しかしながら、上述の構造では、筐体からフックが飛び出しているため、筐体の外形寸法が大きくなるという外観上の問題点があった。
【０００４】
また、かかる構造では、使用中に折れてしまうという自体を防止するために、フックの曲げに対する強度を確保する必要があり、フックを構成する部材を大きくしなければならないという問題点があった。
【０００５】
そこで、本発明は、上述の課題に鑑みてなされたものであり、外形寸法を大きくすることなく、ケーブルの一部を収容可能で且つ当該ケーブルの一部の抜けを防止可能な筐体を提供することを目的とする。
【課題を解決するための手段】
【０００６】
本発明の第１の特徴は、内部に電子機器を収容可能であり、ケーブルの一部を収容可能なケーブル収容部が設けられている筐体であって、前記ケーブル収容部は、凹部と、該凹部の第１側面部の一部において該凹部の第２側面部と第３側面部と底面部とに沿って該凹部の第４側面部に向けて延出する突部とによって構成されており、前記ケーブル収容部において、前記ケーブルの一部は、挿入エリアに挿入された後、通過エリアを経由して収容エリアに収容されるように構成されており、前記収容エリア及び前記通過エリアは、前記突部と前記第２側面部との間の空間、前記突部と前記第３側面部との間の空間、及び、前記突部と前記底面部との間の空間とを含むように構成されており、前記挿入エリアは、前記突部と前記第４側面部との間の空間を含むように構成されており、前記収容エリアと前記通過エリアとの境界部分において、前記収容エリアにおける前記第２側面部と前記第３側面部との間の距離は、前記通過エリアにおける前記第２側面部と前記第３側面部との間の距離よりも長いことを要旨とする。
【０００７】
本発明の第１の特徴において、前記ケーブルの端部が挿入される挿入口が設けられていてもよい。
【発明の効果】
【０００８】
以上説明したように、本発明によれば、外形寸法を大きくすることなく、ケーブルの一部を収容可能で且つ当該ケーブルの一部の抜けを防止可能な筐体を提供することができる。
【発明を実施するための最良の形態】
【０００９】
（本発明の第１の実施形態に係る筐体）
図１乃至図５を参照して、本発明の第１の実施形態に係る筐体５０について説明する。
【００１０】
本実施形態に係る筐体５０は、内部に電子機器を収容可能な筐体であり、図１に、かかる筐体５０の後方斜視図を示す。
【００１１】
図１及び図２に示すように、筐体５０の一側面部（例えば、背面部）５０Ａにおいて、電源ケーブルや通信ケーブル等のケーブル１の一部を収容可能なケーブル収容部２が設けられている。
【００１２】
また、本実施形態に係る筐体５０の一側面部５０Ａには、ケーブル１の端部が挿入される挿入口１００が設けられていている。
【００１３】
次に、図２乃至図６を参照して、かかるケーブル収容部２について説明する。図２は、図１における方向Ｆから、本実施形態に係る筐体５０の一側面部５０Ａに設けられているケーブル収容部２を見た図である。
【００１４】
なお、図３は、図２におけるケーブル収容部２を構成する凹部５の第１側面部５Ａにおける断面図（Ｃ-Ｃ’断面図）であり、図４は、図２におけるケーブル収容部２の収容エリア３０における断面図（Ａ-Ａ’断面図）であり、図５は、図２におけるケーブル収容部２の通過エリア２０における断面図（Ｂ-Ｂ’断面図）であり、図６は、図２におけるケーブル収容部２を構成する凹部５の第４側面部５Ｄにおける断面図（Ｄ-Ｄ’断面図）である。
【００１５】
図２に示すように、ケーブル収容部２は、凹部５と、突部８とによって構成されている。
【００１６】
ここで、突部８は、図２乃至図６に示すように、凹部５の第１側面部５Ａの一部において凹部５の第２側面部５Ｂと第３側面部５Ｃと底面部５Ｅに沿って凹部５の第４側面部５Ｄに向けて延出するように構成されている。
【００１７】
また、ケーブル収容部２は、挿入エリア１０と、通過エリア２０と、収容エリア３０とを有している。
【００１８】
ここで、ケーブル収容部２において、ケーブル１の一部（両端を含まない）は、挿入エリア１０に挿入された後、通過エリア２０を経由して収容エリア３０に収容されるように構成されている。
【００１９】
具体的には、図４に示すように、収容エリア３０は、突部８と第２側面部５Ｂとの間の空間Ｓ１１、突部８と第３側面部５Ｃとの間の空間Ｓ１２、及び、突部８と底面部５Ｅとの間の空間Ｓ１３とを含むように構成されている。
【００２０】
同様に、図５に示すように、通過エリア２０は、突部８と第２側面部５Ｂとの間の空間Ｓ２１、突部８と第３側面部５Ｃとの間の空間Ｓ２２、及び、突部８と底面部５Ｅとの間の空間Ｓ２３とを含むように構成されている。
【００２１】
また、図２及び図６に示すように、挿入エリア１０は、突部８と第４側面部５Ｄとの間の空間Ｓ３を含むように構成されている。
【００２２】
さらに、図２に示すように、収容エリア３０と通過エリア２０との境界部分Ｈにおいて、収容エリア３０における第２側面部５Ｂと第３側面部５Ｃとの間の距離Ｘ２は、通過エリア２０における第２側面部５Ｂと第３側面部５Ｃとの間の距離Ｘ１よりも長くなるように構成されている。
【００２３】
収容エリア３０に収容されているケーブル１の一部には、ケーブル１の復元力が矢印Ｗの方向に加わっているため、収容エリア３０と通過エリア２０との境界部分Ｈに存在する段差を越えてケーブル１の一部を通過エリア２０の方向に移動するためには、矢印Ｗの反対方向に、かかる復元力以上の力をケーブル１の一部に加える必要がある。
【００２４】
したがって、ケーブル１の一部は、安定した状態で、収容エリア３０に収容され続けることができる、すなわち、収容エリア３０からのケーブル１の一部の抜けを防止することができる。
【００２５】
次に、図７乃至図１０を参照して、本実施形態に係る筐体５０に対して電源ケーブル１を収容する動作について説明する。
【００２６】
第１に、図７に示すように、ユーザは、電源ケーブル１の端部を、筐体５０の背面部５０Ａに設けられている挿入口１００に挿入して、電源ケーブル１の端部に設けられているコネクタを、筐体５０内部に収容されている電子機器の電源部に接続する。
【００２７】
第２に、図８に示すように、ユーザは、電源ケーブル１の両端部を含まない一部を、コの字状に折り曲げた状態で、ケーブル収容部２における挿入エリア１０（ケーブル収容部２における開口部）に挿入する。
【００２８】
第３に、図９に示すように、ユーザは、挿入エリア１０に挿入したコの字状に折り曲げた状態のケーブル１の一部を、筐体５０の背面部５０Ａに対して左方向に（すなわち、第１側面部５Ａに向けて）移動（スライド）させる。
【００２９】
第４に、図１０に示すように、ユーザは、挿入エリア１０に挿入したコの字状に折り曲げた状態のケーブル１の一部を、収容エリア３０に収容する。
【００３０】
ここで、かかるケーブル１の一部は、突部８と凹部５の第２側面部５Ｂとの間の空間Ｓ２１、突部８と凹部５の第３側面部との間の空間Ｓ２２、突部８と凹部５の底面部５Ｅとの間の空間Ｓ２３とを含む通過エリア２０を経由して、突部８と凹部５の第２側面部５Ｂとの間の空間Ｓ１１、突部８と凹部５の第３側面部との間の空間Ｓ１２、突部８と凹部５の底面部５Ｅとの間の空間Ｓ１３とを含む収容エリア３０に到達するものとする。
【００３１】
本実施形態に係る筐体５０によれば、ケーブル１の復元力を利用して、ケーブル１の一部をケーブル収容部２の収容エリア３０に収容するように構成されているため、外形寸法を大きくすることなく、ケーブル１の一部を安定して筐体５０内に収容することができる。
【００３２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００３３】
【図１】本発明の第１の実施形態に係る筐体の後方斜視図である。
【図２】本発明の第１の実施形態に係る筐体に設けられているケーブル収容部の背面図である。
【図３】本発明の第１の実施形態に係る筐体に設けられているケーブル収容部のＣ-Ｃ’断面図である。
【図４】本発明の第１の実施形態に係る筐体に設けられているケーブル収容部のＡ-Ａ’断面図である。
【図５】本発明の第１の実施形態に係る筐体に設けられているケーブル収容部のＢ-Ｂ’断面図である。
【図６】本発明の第１の実施形態に係る筐体に設けられているケーブル収容部のＤ-Ｄ’断面図である。
【図７】本発明の第１の実施形態に係る筐体に設けられているケーブル収容部にケーブルを収容する様子を説明するための図である。
【図８】本発明の第１の実施形態に係る筐体に設けられているケーブル収容部にケーブルを収容する様子を説明するための図である。
【図９】本発明の第１の実施形態に係る筐体に設けられているケーブル収容部にケーブルを収容する様子を説明するための図である。
【図１０】本発明の第１の実施形態に係る筐体に設けられているケーブル収容部にケーブルを収容する様子を説明するための図である。
【符号の説明】
【００３４】
１…ケーブル
２…ケーブル収容部
５０…筐体
５０Ａ…筐体の一側面部（背面部）
１００…挿入口
５…凹部
５Ａ、５Ｂ、５Ｃ、５Ｄ…凹部の側面部
５Ｅ…凹部の底面部
８…突部
１０…挿入エリア
２０…通過エリア
３０…収容エリア
【図１】
0005033021.tif 000002
【図２】
0005033021.tif 000003
【図３】
0005033021.tif 000004
【図４】
0005033021.tif 000005
【図５】
0005033021.tif 000006
【図６】
0005033021.tif 000007
【図７】
0005033021.tif 000008
【図８】
0005033021.tif 000009
【図９】
0005033021.tif 000010
【図１０】
0005033021.tif 000011